(57)【要約】  【課題】  シャーシにリアパネルを装着する際、そのシャーシに設けられたリアパネルの取り付け板が傾かないようにし、次工程のトップカバーの装着が確実に行えるようにすること。  【解決手段】  リアパネルの取り付け板１ｂに対し、そのフロント側の背面に、補強用の当て板６をシャーシ１０の底板１に併設する。リアパネルの取り付け板１ｂにリアパネル３の取り付け部位を重ねて、それらをその補強用の当て板６とともにネジ止め（ネジ５）すれば、それらは容易に傾かず、傾いたとしても僅かであって、それに取り付けるリアパネル３も大きく傾くことはない。従って、そのリアパネル３に対する、次工程のトップカバー４の装着が正確、かつ、容易に行える。【選択図】      図２
2007059435.tif 000002
【特許請求の範囲】
【請求項１】
シャーシの底板のリアパネルの取り付け側から立ち上がり、リアパネルをネジ止めする
ためのネジ穴を有したリアパネルの取り付け板に対し、そのフロント側の背面に、補強用
の当て板を底板に併設したシャーシのリアパネル取り付け構造。
【請求項２】
請求項１に記載のリアパネル取り付け構造を有したシャーシ。
【発明の詳細な説明】
【技術分野】
【０００１】
この発明は、ＣＤ再生機やＤＶＤ録画機などの電子機器を構成する電子機器用シャーシ
の構造に係り、詳しくは、そのシャーシにリアパネルを取り付ける際に、寸法精度上、正
確な取り付けが行えるようにするための構造の改良に関する。
【背景技術】
【０００２】
上記のような電子機器のシャーシの構成要素として、図３に符号２０で示すように、金
属で形成された矩形の底板１の一対向辺の一方に樹脂性のフロントパネル２が固着された
ものと、その底板１の対向辺の他方の側に取り付けられるリアパネル３と、その両パネル
２、３の上縁に掛け渡される矩形の天板４ａの両側縁に側板４ｂが連設されたトップカバ
ー４とがある。
【０００３】
底板１の、フロントパネル２とリアパネル３以外の対向縁には、トップカバー４の側板
４ｂの下縁寄りの部分を取り付ける取り付け代として、所定の高さの壁１ａが形成されて
いる。そして、その壁１ａのリアパネル３側の端部にリアパネル取り付け用の取り付け板
１ｂが突設されている。
【発明の開示】
【発明が解決しようとする課題】
【０００４】
上記のようなシャーシ２０の構成要素を組み立てる場合、図４に示すように、リアパネ
ル３は、リアパネルの取り付け板１ｂにネジ止め（ネジ５）で固定する。そして、そのネ
ジ止めされたリアパネル３と、前工程で初めからシャーシ２０の底板１に固着されていた
フロントパネル２の上からトップカバー４を装着する。
【０００５】
上記のようなシャーシ２０の構成要素を組み立てる場合、リアパネル３をリアパネルの
取り付け板１ｂにネジ止めする際は、図５（ａ）に示すように、リアパネルの取り付け板
１ｂとリアパネル３の間に互いを引き付け合う力が作用するので、リアパネルの取り付け
板１ｂの強度が弱ければ、両方の板３、１ｂが合わさったまま傾いてしまうことになる。
すなわち、図５（ｂ）に示すように、リアパネル３も傾くことになる。これがリアパネル
３の「逃げ」である。このリアパネル３の「逃げ」が生じると、トップカバー４の装着が
困難となる。
【０００６】
そこで、本発明は、シャーシにリアパネルを装着する際に、そのシャーシに設けられた
リアパネルの取り付け板が傾かないようにし、次工程のトップカバーの装着が確実に行え
るようにすることを課題とする。
【課題を解決するための手段】
【０００７】
上記課題を解決するため、本発明は、上記リアパネルの取り付け板に対し、そのフロン
ト側の背面に、補強用の当て板をシャーシの底板に併設したのである。
【０００８】
このようにしたので、リアパネルの取り付け板にリアパネルの取り付け部位を重ねて、
それらを補強用の当て板とともにネジ止めすれば、それらは容易に傾かず、傾いたとして
も僅かであって、それに取り付けるリアパネルも大きく傾くことはない。
【発明の効果】
【０００９】
本発明は、上記のように構成したので、リアパネルをシャーシの取り付け面に取り付け
る際、それらにネジ止めを行っても、そのリアパネルの取り付け面のフロント側背面に設
けられた補強用の当て板によって、リアパネルの取り付け板が、従って、リアパネルが容
易に傾かないので、そのリアパネルに対する、次工程のトップカバーの装着が正確、かつ
、容易に行える。
【発明を実施するための最良の形態】
【００１０】
以下、この発明の実施の形態を図面を参照して説明する。従来例と同じ要素については
、同じ符号を付す。図１は本実施形態のシャーシ１０の構成要素を分解斜視図で示したも
のである。
【００１１】
図１に示すように、金属で形成された矩形の底板１の一対向辺の一方に樹脂性のフロン
トパネル２が固着されている。その底板１の対向辺の他方の側に取り付けられるリアパネ
ル３がある。また、矩形の天板４ａの両側縁に側板４ｂが連設され、その両パネル２、３
の上縁に掛け渡されるトップカバー４がある。本実施形態のシャーシ１０が、この三つの
部品から構成されていることは、従来例の場合と変わりはない。
【００１２】
本実施形態のシャーシ１０が従来例のものと異なるのは、底板１である。本実施形態の
底板１には、図１に示すように、リアパネル３を取り付けるためのリアパネル取り付け板
１ｂのフロント側背後に補強用の当て板６が設けられている。この当て板６は、底板１の
側縁から立ち上がる壁１ａに併設されている。
【００１３】
この当て板６によって、リアパネルの取り付け板１ｂのフロント側への傾きが阻止され
るので、リアパネルの取り付け板１ｂにリアパネル３をネジ止め（ネジ５）しても、図２
（ａ）に示すように、リアパネル３は容易に傾くことがなく、図２（ｂ）に示すように、
底板１からほぼ垂直に立ち上がるので、トップカバー４の装着が正しい姿勢で行える。
【産業上の利用可能性】
【００１４】
この発明は、電子機器のシャーシにリアパネルを取り付ける際に、一般に広く適用でき
る。
【図面の簡単な説明】
【００１５】
【図１】は、本実施形態のシャーシの構成要素を分解斜視図で示したものである。
【図２】は、本実施形態のシャーシの組み立ての内、（ａ）にリアパネルをその取り付け板にネジ止めした時の様子を斜視図で示し、（ｂ）に要部側断面図で示したものである。
【図３】は、従来のシャーシの構成要素を分解斜視図で示したものである。
【図４】は、（ａ）に、従来のシャーシの組み立ての際に、リアパネルをその取り付け板に当接させた状態を斜視図で示し、（ｂ）にその要部側断面図を示したものである。
【図５】は、従来のシャーシの組み立てにおけるリアパネルを取り付けた状態を（ａ）に斜視図で示し、（ｂ）にその不具合の内容を要部側断面図で示したものである。
【符号の説明】
【００１６】
１    底板
１ａ    壁
１ｂ    リアパネルの取り付け板
２    フロントパネル
３    リアパネル
４    トップカバー
４ａ    天板
４ｂ    側板
５    ネジ
６    当て板
１０、２０    シャーシ
【図１】
2007059435.tif 000003
【図２】
2007059435.tif 000004
【図３】
2007059435.tif 000005
【図４】
2007059435.tif 000006
【図５】
2007059435.tif 000007